(57)【要約】【課題】部材を損傷することなく運搬と据付の作業をつづけて正確に行うことができるフォークリフト用運搬据付治具及びそれを用いた部材運搬据付方法を提供する。【解決手段】フォークリフトＦＬのフォークｆ１に装着され、部材（Ｓ１）の運搬と据付の際の位置調整するためのフォークリフト用運搬据付治具１において、部材（Ｓ１）を吊り下げ支持可能な強度を有するフレーム１０と、このフレーム１０をフォークｆ１に装着するための装着手段４と、フレーム１０に取り付けられて部材（Ｓ１）を吊り下げ支持する吊下げ手段２と、フレーム１０又はフォークｆ１と部材（Ｓ１）との間に介装されて部材（Ｓ１）を押圧固定する押圧手段３と、を備える。【選択図】図１
2019014599.tif 000002
【特許請求の範囲】
【請求項１】
フォークリフトのフォークに装着され、部材の運搬と据付の際の位置調整するためのフォークリフト用運搬据付治具であって、
前記部材を吊り下げ支持可能な強度を有するフレームと、このフレームを前記フォークに装着するための装着手段と、前記フレームに取り付けられて前記部材を吊り下げ支持する吊下げ手段と、前記フレーム又は前記フォークと前記部材との間に介装されて前記部材を押圧固定する押圧手段と、を備えること
を特徴とするフォークリフト用運搬据付治具。
【請求項２】
前記押圧手段は、揺動自在のヒンジを有していること
を特徴とする請求項１に記載のフォークリフト用運搬据付治具。
【請求項３】
前記吊下げ手段は、チェーンブロックや電動ホイスト等の吊り下げ長さ調整機構を有していること
を特徴とする請求項１又は２に記載のフォークリフト用運搬据付治具。
【請求項４】
請求項１ないし３のいずれかに記載のフォークリフト用運搬据付治具を用いて、前記部材を運搬するとともに所定の位置に据え付ける部材運搬据付方法であって、
運搬時には、前記吊下げ手段で前記部材を吊り上げつつ前記押圧手段で前記部材を押圧固定して運搬し、
据付時には、吊下げ手段で吊り降ろして前記部材の水平及び据付位置の高さ調整を行うこと
を特徴とする部材運搬据付方法。
【発明の詳細な説明】
【技術分野】
【０００１】
本発明は、フォークリフトのフォークに装着されてフォークリフトで部材を運搬するとともに、そのまま所定の位置に部材を正確に設置するための治具、及びそれを用いた部材運搬据付方法に関するものである。
【背景技術】
【０００２】
従来、シールドトンネル内の閉鎖された空間において、ＰＣａ床版（プレキャスト床版）やセグメントなどの各種資材を運搬する際は、レールを敷設した上、そのレール上を走行する門型クレーンや門型架設機を用いて運搬していた。
【０００３】
ＰＣａ床版をシールドトンネル内に設置する場合は、先ず、従来の工法では、シールドトンネルの坑口からＰＣａ床版を設置している場所近傍まで、複数枚のＰＣａ床版をトレーラーや台車などの運搬車両で運搬する。そして、当該設置場所近傍に複数枚のＰＣａ床版をクレーン等の揚重機を用いて荷降ろしして複数枚積み上げ、その後、門型クレーンや門型架設機を用いて、積み上げストックしたＰＣａ床版のヤマから設置場所までＰＣａ床版を１枚ずつ移送して、据え付け（敷設し）ていた。このため、ＰＣａ床版の盛り替え（揚重や運搬する機械装置を変えること）作業等に労力や時間を要していた。
【０００４】
例えば、特許文献１には、シールドトンネル内の円形空間の下半部に平坦面を設けるべくＰＣａ床版を敷設する際に、門型クレーン１３を用いてプレキャストＰＣ床版５（ＰＣａ床版）などを移動することが開示されている（特許文献１の明細書の段落［００１７］、図面の図３〜５等参照）。
【０００５】
しかし、このような門型クレーンや門型架設機を用いて資材等を運搬することは、（１）架設機の組み払しのための大きなスペースが必要であり、大断面の坑道でなければ、架設機を用いることが困難であるという問題があった。また、（２）レール（軌条）上を架設機が走行するため縦横断線形が複雑に変化する箇所や、縦横断勾配のきつい箇所では用いることができないという問題もあった。
【０００６】
そこで、特許文献２には、本願出願人が提案した、前輪と後輪と、前輪を旋回操作可能な旋回操舵部と、走行面との高さを調節する伸縮調節脚部と、伸縮調節脚部に連結される脚本体と、水平枠部により形成された門型枠体部と、ガイド杆と、ガイド杆に対し移動可能にして取り付けられた操作杆と、操作杆に対し移動可能にして取り付けられた床版吊り上げ用の吊り上げ装置を有する床版架設装置が開示されている（特許文献２の特許請求の範囲の請求項１、明細書の段落［００１６］〜［００３０］、図面の図１、図２等参照）。
【０００７】
特許文献２に記載の床版架設装置は、建築制限のあるトンネル内などの道路幅が狭く、平面線形での作業が厳しい狭所での床版架設作業についても、また、内部が螺旋状をなし、作業に際しては曲面走行で作業を行わなければならないトンネル内にあっても、さらには、トンネル内などにおいて縦断勾配がきつい箇所であってもスムーズに走行して床版を設置できるとされている。
【０００８】
しかし、特許文献２に記載の床版架設装置は、前述の大断面の坑道でなければ、架設機の組み払しが困難であるという問題は解決されてはおらず、小規模シールドトンネル内では、使用が困難であるという問題があった。また、このような架設装置や門型クレーン等を用いて、ＰＣａ床版（プレキャストＰＣ床版）などの正確な位置に据付する必要がある部材を据え付ける場合は、ＰＣａ床版等の部材をトンネルの坑口から架設機の位置までトレーラーもしくは台車により運搬した上、架設機に盛り替えを行ってからする必要があった。このため、盛り替え作業等に労力や時間を要し、コストアップの要因となっていた。
【０００９】
その上、大型で複雑な架設装置であるため、組み払しの費用やレールや架設機などの仮設機材のリース費用が嵩むという問題もあった。さらに、動力の付いた架設機をレール（軌条）上で走行させるためには、労働基準監督署への申請が必要であり、そのための計画や書類作成の時間をさらに要し、この点もコストアップの要因となっていた。
【００１０】
一方、フォークリフトのフォークに装着して使用する治具としては、特許文献３に、建築用パネルの建て込み施工治具が開示されている。この特許文献３に記載の建築用パネルの建て込み施工治具は、フォークリフトＢのフォーク１３に装脱可能なベース部材２の先端に、断熱パネルの長手方向一端下部に移入可能で、その移入状態でのフォークリフトＢの前進及びフォーク１３の上昇により断熱パネルＰを垂直に立て起こし可能な自由回転ローラ３が取り付けられているとともに、ベース部材２の上面部には、パネル表面を吸着する吸着パッド７を備えたパネル把持部材４を吸着パッド７が作用姿勢と非作用姿勢とに切替えられるように位置変更可能に設けられている（特許文献３の特許請求の範囲の請求項１、明細書の段落［００１４］〜［００２５］、図面の図２、図５〜７等参照）。
【００１１】
しかし、特許文献３に記載の建築用パネルの建て込み施工治具は、シールドトンネル内においてＰＣａ床版などのコンクリート製の部材の運搬・据付にそのまま使用できるものではなかった。つまり、特許文献３に記載の建築用パネルの建て込み施工治具をフォークリフトのフォークに装着して、フォーク上にコンクリート製の部材を乗せて運搬すると、振動や衝撃によりコンクリート製の部材が損傷してしまうという問題があった。また、特許文献３に記載の建築用パネルの建て込み施工治具は、ＰＣａ床版などのコンクリート製の部材の敷設（据付）にはそのまま利用できないという問題もあった。
【先行技術文献】
【特許文献】
【００１２】
【特許文献１】特開２００１−１８２４９４号公報
【特許文献２】特開２０１６−１６６４５３号公報
【特許文献２】特開２００７−８５９２号公報
【発明の概要】
【発明が解決しようとする課題】
【００１３】
そこで、本発明は、前述した問題に鑑みて案出されたものであり、その目的とするところは、ランプシールドなどの小規模且つ縦横断面における急勾配を有するトンネルにおいても使用することができるとともに、部材を損傷することなく運搬と据付の作業をつづけて正確に行うことができるフォークリフト用運搬据付治具及びそれを用いた部材運搬据付方法を提供することにある。
【課題を解決するための手段】
【００１４】
請求項１に記載のフォークリフト用運搬据付治具は、フォークリフトのフォークに装着され、部材の運搬と据付の際の位置調整するためのフォークリフト用運搬据付治具であって、前記部材を吊り下げ支持可能な強度を有するフレームと、このフレームを前記フォークに装着するための装着手段と、前記フレームに取り付けられて前記部材を吊り下げ支持する吊下げ手段と、前記フレーム又は前記フォークと前記部材との間に介装されて前記部材を押圧固定する押圧手段と、を備えることを特徴とする。
【００１５】
請求項２に記載のフォークリフト用運搬据付治具は、請求項１に記載のフォークリフト用運搬据付治具において、前記押圧手段は、揺動自在のヒンジを有していることを特徴とする。
【００１６】
請求項３に記載のフォークリフト用運搬据付治具は、請求項１又は２に記載のフォークリフト用運搬据付治具において、前記吊下げ手段は、チェーンブロックや電動ホイスト等の吊り下げ長さ調整機構を有していることを特徴とする。
【００１７】
請求項４に記載の部材運搬据付方法は、請求項１ないし３のいずれかに記載のフォークリフト用運搬据付治具を用いて、前記部材を運搬するとともに所定の位置に据え付ける部材運搬据付方法であって、運搬時には、前記吊下げ手段で前記部材を吊り上げつつ前記押圧手段で前記部材を押圧固定して運搬し、据付時には、吊下げ手段で吊り降ろして前記部材の水平及び据付位置の高さ調整を行うことを特徴とする。
【発明の効果】
【００１８】
請求項１〜４に記載の発明によれば、大型の門型クレーンや架設機を使用せずにフォークリフトによる部材の運搬・据付が可能となる。このため、ランプシールドなどの小規模且つ縦横断面における急勾配を有するトンネルにおいても使用することができるだけでなく、レール材等の仮設資材のリース料が嵩むことがなく安価となる。その上、フォークリフト１台で運搬と据付を続けて行うことができるため、部材の揚重手段の盛替等が必要なくなり、作業時間を短縮してコストダウンを達成することができる。
【００１９】
また、請求項１〜４に記載の発明によれば吊下げ手段で部材を吊り下げつつ、押圧手段で部材を押圧固定して運搬するので、部材の振動によるバタつきを抑えて部材を損傷することなく運搬することができる。その上、フォークリフトのフォークの上下動だけでなく、吊下げ手段で部材の高さ調整などの位置調整が可能であり据付作業を正確に行うことができる。それに加え、1台のフォークリフトで運搬と据付をつづけて行うことができるため、極めて作業効率が良く、その点でも作業時間を短縮してコストダウンを達成することができる。
【００２０】
特に、請求項２に記載の発明によれば、押圧手段が揺動自在なヒンジを有しているので、運搬する部材がコンクリート部材などの引張力に弱い特性のある部材であっても、部材の撓み変動に追随して運搬中の振動で損傷させるおそれが少なくなる。
【００２１】
特に、請求項３に記載の発明によれば、吊下げ手段が吊り下げ長さ調整機構を有しているので、左右の水平の微調整や位置調整が極めて正確に素早くできるため、さらに作業効率向上させて、作業時間の短縮によるコストダウンを達成することができる。
【００２２】
特に、請求項４に記載の発明によれば、運搬時には、吊下げ手段で前記部材を吊り上げつつ前記押圧手段で前記部材を押圧固定して運搬するので、部材の振動によるバタつきを抑えて部材を損傷することなく運搬することができる。また、請求項４に記載の発明によれば、据付時には、吊下げ手段で吊り降ろして部材の水平及び据付位置の高さ調整を行うので、左右の水平の微調整や位置調整が極めて正確に素早くできるため、さらに作業効率向上させて、作業時間の短縮によるコストダウンを達成することができる。
【図面の簡単な説明】
【００２３】
【図１】本発明の実施形態に係るフォークリフト用運搬据付治具をフォークリフトに装着した状態を示すフォークリフトに向かって斜め前方から撮った正面写真である。
【図２】同上のフォークリフト用運搬据付治具をフォークリフトに装着した状態で斜め後方から撮った背面写真である。
【図３】同上のフォークリフト用運搬据付治具の構成をフォークリフトに装着した状態で示す側面図である。
【図４】同上のフォークリフト用運搬据付治具を示す正面図である。
【図５】図３のフォークリフト用運搬据付治具の端面図であり、左半分がＡ−Ａ線端面図、右半分がＢ−Ｂ線端面図である。
【図６】図３のフォークリフト用運搬据付治具の端面図であり、左半分がＣ−Ｃ線端面図、右半分がＤ−Ｄ線端面図である。
【図７】同上のフォークリフト用運搬据付治具をフォークリフトに装着してＰＣａ床版を敷設する状況を示す側面図である。
【発明を実施するための形態】
【００２４】
以下、本発明に係るフォークリフト用運搬据付治具及びそれを用いた部材運搬据付方法を実施するための一実施形態について、図面を参照しながら詳細に説明する。
【００２５】
＜フォークリフト用運搬据付治具＞
先ず、図１〜図６を用いて、本発明の実施形態に係るフォークリフト用運搬据付治具について説明する。運搬・据付を行う部材としてコンクリート部材であるＰＣａ床版Ｓ１を例示して説明する。
【００２６】
図１は、本発明の実施形態に係るフォークリフト用運搬据付治具１をフォークリフトＦＬに装着した状態を示すフォークリフトＦＬに向かって斜め前方から撮った正面写真であり、図２は、フォークリフト用運搬据付治具１をフォークリフトＦＬに装着した状態で斜め後方から撮った背面写真である。
【００２７】
また、図３は、フォークリフト用運搬据付治具１の構成をフォークリフトＦＬに装着した状態で示す側面図であり、図４は、同上のフォークリフト用運搬据付治具１を示す正面図である。そして、図５は、図３の端面図であり、左半分がＡ−Ａ線端面図、右半分がＢ−Ｂ線端面図であり、図６は、図３の左半分がＣ−Ｃ線端面図、右半分がＤ−Ｄ線端面図である。
【００２８】
本実施形態に係るフォークリフト用運搬据付治具１は、治具本体である鋼製フレーム１０と、この鋼製フレーム１０にＰＣａ床版Ｓ１を吊り下げ支持する吊下げ手段２と、ＰＣａ床版Ｓ１に当接して押圧固定する押圧手段３など、から構成されている。また、鋼製フレーム１０には、鋼製フレーム１０をフォークリフトＦＬのフォークｆ１に装着するための装着手段４も設けられている。
【００２９】
（鋼製フレーム）
鋼製フレーム１０は、一般構造用圧延鋼材（SS400）からなる平面視矩形枠状のフレームであり、ＰＣａ床版Ｓ１を吊り下げ支持するのに必要な強度を有している。この鋼製フレーム１０は、図１、図２に示すように、Ｈ形鋼（H300×150×6.5/9）からなる３本の横桁１１と、その横桁１１の上端部に取り付けられた背面で接合された溝形鋼（C150×75×6.5/10）からなる２本の縦桁１２など、から日の字状に組み合わされてボルト接合されている。
【００３０】
これらの３本の横桁１１のうち、図４に示すように、前後の２本の横桁１１の上面には、鋼製フレーム１０を吊り上げてフォークリフトＦＬに装着する際に使用する左右一対の吊上げプレート１１ａが上方へ向け突設されている。また、図６に示すように、中央の横桁１１の下面には、種々の資材を吊り下げるための左右一対の吊下げプレート１１ｂが下方に向け突設されている。
【００３１】
また、図１〜図３に示すように、縦桁１２の溝形鋼の間には、吊下げ手段２の一般構造用圧延鋼材（SS400）のプレートからなる吊下げ金具２０が介装されて、縦桁１２の上端面にボルト接合されている。
【００３２】
なお、各横桁１１には、図１、図２、図４等に示すように、部材の曲げ座屈等を防ぐために補剛プレート（スチフナー）が溶接されており、各縦桁１２には、横桁１１と接合する部分に座屈防止用のプレートが取り付けられている。
【００３３】
（吊下げ手段）
吊下げ手段２は、図１〜図３等に示すように、前述の吊下げ金具２０と、この吊下げ金具２０の孔に装着されたシャックル２１と、このシャックル２１に取り付けられたチェーンブロックやレバーブロック（登録商標）などの吊り下げ長さ調整機構２２など、から構成されている。この吊下げ手段２は、ＰＣａ床版Ｓ１にアンカー等を介して装着された吊りフックを吊り下げて支持する機能を有している。
【００３４】
勿論、吊り下げ長さ調整機構２２は、チェーンブロックやレバーブロック（登録商標）などに限られず、電動ホイストなどの電動の吊り下げ長さ調整機構であっても構わない。要するに、本発明に係る吊り下げ長さ調整機構は、チェーンやワイヤロープなどの線材を巻き上げ及び巻き出し等が自在でその線材の長さを調整することができるものであればどのような機構であっても構わない。
【００３５】
（押圧手段）
押圧手段３は、図５等に示すように、ボルトで接合された上下一対の鋼製プレートからなる枕木固定金具３０と、この枕木固定金具３０の下端面に取り付けられたヒンジ３１と、このヒンジ３１の下端に取り付けられた枕木３２など、から構成されている。
【００３６】
この押圧手段３は、各フォークｆ１に前後一対計４箇所装着され、前述の吊下げ手段２でＰＣａ床版Ｓ１を吊り上げつつ、ＰＣａ床版Ｓ１とフォークｆ１との間に枕木３２を介在させることでＰＣａ床版Ｓ１を押圧して固定する機能を有している。
【００３７】
この枕木固定金具３０は、上下一対の鋼製プレートでフォークｆ１を挟み込んで挟持することでヒンジ３１を介して枕木３２を固定する機能を有している。
【００３８】
また、ヒンジ３１は、支持するＰＣａ床版Ｓ１の短手方向に沿って揺動自在となるように取り付けられており、フォークリフトＦＬの運搬時の振動によりＰＣａ床版Ｓ１が撓んだ場合でも、その傾斜角度の変動に追随可能となっている。このため、ＰＣａ床版Ｓ１が振動で撓んでも枕木３２がずれるおそれが少なく、運搬中の振動でＰＣａ床版Ｓ１を損傷させるおそれも少ない。勿論、ヒンジ３１は、ＰＣａ床版Ｓ１の長手方向に沿って揺動自在となるように取り付けられていてもよいことは云うまでもない。要するに、本発明に係るヒンジは、支持する部材の振動等による撓みに追随して揺動可能に構成されていればよい。
【００３９】
そして、ＰＣａ床版Ｓ１と当接する部分にコンクリートより表面硬度が低い木製の枕木３２を使用することで、コンクリート製のＰＣａ床版Ｓ１に傷を付けるおそれがないだけでなく、安価で且つ繰り返し使用可能とすることができる。
【００４０】
（装着手段）
装着手段４は、３本の横桁１１のそれぞれの横桁１１の下端に左右一対ずつボルト接合されたフォーク固定金具４０と、フォークｆ１に対する前後のズレを防止するズレ止め金具４１など、から構成されている。
【００４１】
このフォーク固定金具４０は、厚さ１２ｍｍ程度のプレートの上面が切削加工されて装着するフォークｆ１の傾斜面に応じて下端面が水平面となるように構成されている。このため、フォークｆ１の傾斜面とプレートの上面の傾斜面とにより、鋼製フレーム１０がフォークｆ１に沿って後方へズレることがない。
【００４２】
また、ズレ止め金具４１は、図２、図３に示すように、２本の鋼製のＬ形アングル（L75×75×9）をボルトで結合した金具であり、フォークｆ１の基端部に後方の横桁１１を掛け止めて、鋼製フレーム１０全体が、フォークｆ１に沿って前方へズレることを防止する機能を有している。
【００４３】
＜部材運搬据付方法＞
次に、図１、図２、図７を用いて、本発明の実施形態に係る部材運搬据付方法について説明する。前述の本発明の実施形態に係るフォークリフト用運搬据付治具１を用いて、コンクリート部材であるＰＣａ床版Ｓ１を運搬して据え付ける場合を例示して説明する。
【００４４】
（１）治具装着工程
先ず、本発明の実施形態に係る部材運搬据付方法では、前述のフォークリフト用運搬据付治具１をフォークリフトＦＬに装着する治具装着工程を行う（図示せず）。
【００４５】
具体的には、クレーンなどの揚重機を用いて、フォークリフト用運搬据付治具１を吊上げプレート１１ａを利用して吊り上げた状態で、装着手段４のフォーク固定金具４０にフォークリフトＦＬのフォークｆ１を挿入してボルトを締めて装着する。
【００４６】
（２）床版吊上工程
次に、本実施形態に係る部材運搬据付方法では、前工程でフォークリフトＦＬに装着したフォークリフト用運搬据付治具１に床版を吊り上げる床版吊上工程を行う（図示せず）。
【００４７】
具体的には、先ず、予め埋設された雌ネジ等を利用して吊りフックをＰＣａ床版Ｓ１に装着する。そして、図２に示すように、その吊りフックにチェーンブロックやレバーブロック（登録商標）などの吊り下げ長さ調整機構２２のフックを掛け止めて吊り上げる。このとき、吊り下げ長さ調整機構２２による吊上げは、押圧手段３の枕木３２がＰＣａ床版Ｓ１に当接し、ＰＣａ床版Ｓ１がある程度撓んで押圧力が掛かるまでとする。
【００４８】
（３）床版運搬工程
次に、図１、図７に示すように、本実施形態に係る部材運搬据付方法では、前工程で吊上げたＰＣａ床版Ｓ１をフォークリフトＦＬのフォークｆ１で揚重して所定の据付位置まで運搬する床版運搬工程を行う。
【００４９】
具体的には、新設のＰＣａ床版Ｓ１を持ち上げたまま、フォークリフトＦＬで既設のＰＣａ床版Ｓ１上を走行して運搬する。このとき、既設のＰＣａ床版Ｓ１同士の間には、ＰＣａ床版Ｓ１同士を一体化するため間詰めコンクリートを打設する間隔が存在するため、フォークリフトＦＬで走行できるように、ＰＣａ床版Ｓ１間に亘って鉄板ＳＰを敷設する（図８参照）。
【００５０】
また、鉄板ＳＰでＰＣａ床版Ｓ１に傷が付かないように、鉄板ＳＰとＰＣａ床版Ｓ１との間にベニア板などの緩衝材を敷く（図７参照）。勿論、ベニア板に追加して、又はベニア板代わりに緩衝材としてゴム板や樹脂板などを敷いてもよいことは云うまでもない。
【００５１】
本工程では、前述のように、フォークリフト用運搬据付治具１で吊下げ手段２でＰＣａ床版Ｓ１を吊り下げつつ、押圧手段３でＰＣａ床版Ｓ１を押圧固定した状態で運搬する。このため、フォークリフト用運搬据付治具１は、ＰＣａ床版Ｓ１の振動によるバタつきを抑えて部材を損傷することなく運搬することができる。
【００５２】
（４）床版据付工程
次に、図７に示すように、本実施形態に係る部材運搬据付方法では、前工程で所定の据付位置まで運搬したＰＣａ床版Ｓ１を所定の位置に据え付ける床版据付工程を行う。
【００５３】
具体的には、フォークリフトＦＬのフォークｆ１を降ろして行き、据付位置となるシールドトンネル底面の溝に当接する直前でフォークｆ１を停止する。
【００５４】
そして、吊り下げ長さ調整機構２２でチェーン等を巻出してＰＣａ床版Ｓ１の水平を確保しつつ吊り降ろしていく。このとき、バール等を用いてシールドトンネル底面の溝に対する左右の微調整も行う。
【００５５】
これにより、左右の水平の微調整や位置調整が極めて正確に行えるとともに、ＰＣａ床版Ｓ１を正確な据付位置に素早く短時間に設置することが可能となる。よって、作業効率向上させて、作業時間の短縮によるコストダウンを達成することができる。
【００５６】
最後に、吊り下げ長さ調整機構２２のフックを外すとともに、ＰＣａ床版Ｓ１のフックも取り外して床版の運搬据付作業が終了する。
【００５７】
そして、フォークリフトＦＬにフォークリフト用運搬据付治具１を装着したまま、（２）床版吊上工程〜（４）床版据付工程を繰り返すことで次々にＰＣａ床版Ｓ１を運搬して正確な位置に設置していくことができる。
【００５８】
以上説明した本実施形態に係るフォークリフト用運搬据付治具１及びそれを用いた本実施形態に係る部材運搬据付方法によれば、大型の門型クレーンや架設機を使用せずにフォークリフトＦＬによるＰＣａ床版Ｓ１の運搬・据付が可能となる。このため、ランプシールドなどの小規模且つ縦横断面における急勾配を有するトンネルにおいても使用することができるだけでなく、レール材等の仮設資材のリース料が嵩むことがなく安価となる。その上、フォークリフトＦＬ１台で運搬と据付を続けて行うことができるため、揚重手段の盛替等が必要なくなり、作業時間を短縮してコストダウンを達成することができる。
【００５９】
また、本実施形態に係るフォークリフト用運搬据付治具１及び部材運搬据付方法によれば、吊下げ手段２でＰＣａ床版Ｓ１を吊り下げつつ、押圧手段３でＰＣａ床版Ｓ１を押圧固定して運搬する。このため、ＰＣａ床版Ｓ１の振動によるバタつきを抑えて部材を損傷することなく運搬することができる。
【００６０】
その上、本実施形態に係るフォークリフト用運搬据付治具１及び部材運搬据付方法によれば、フォークリフトＦＬのフォークｆ１の上下動だけでなく、吊下げ手段２でＰＣａ床版Ｓ１の高さ調整及び左右の位置調整が可能であり据付作業を正確に行うことができる。それに加え、1台のフォークリフトＦＬで運搬と据付をつづけて行うことができるため、極めて作業効率が良く、その点でも作業時間を短縮してコストダウンを達成することができる。
【００６１】
以上、本発明の本実施形態に係るフォークリフト用運搬据付治具及びそれを用いた本実施形態に係る部材運搬据付方法について詳細に説明した。しかし、前述した又は図示した実施形態は、いずれも本発明を実施するにあたって具体化した一実施形態を示したものに過ぎず、これらによって本発明の技術的範囲が限定的に解釈されてはならないものである。
【００６２】
特に、本発明の本実施形態に係るフォークリフト用運搬据付治具及び部材運搬据付方法で運搬・据付を行う部材としてＰＣａ床版を例示して説明したが、梁材、セグメントなどのコンクリート部材だけでなく、鋼製部材や木材などにも適用することができる。要するに、トンネルや橋梁下などの狭隘な空間を運搬して所定の位置に正確に設置することが必要な床材や壁材などの板状材や梁材や管材などの長尺材には、好適に適用することができる。
【符号の説明】
【００６３】
ＦＬ：フォークリフト
ｆ１：フォーク
Ｓ１：ＰＣａ床版（部材）
１：フォークリフト用運搬据付治具
１０：鋼製フレーム（フレーム）
１１：横桁
１１ａ：吊上げプレート
１１ｂ：吊下げプレート
１２：縦桁
２：吊下げ手段
２０：吊下げ金具
２１：シャックル
２２：（チェーンブロック，レバーブロック（登録商標））吊り下げ長さ調整機構
３：押圧手段
３０：枕木固定金具
３１：ピポットヒンジ
３２：枕木
４：装着手段
４０：フォーク固定金具
４１：ズレ止め金具
ＳＰ：鉄板
【図１】
2019014599.tif 000003
【図２】
2019014599.tif 000004
【図３】
2019014599.tif 000005
【図４】
2019014599.tif 000006
【図５】
2019014599.tif 000007
【図６】
2019014599.tif 000008
【図７】
2019014599.tif 000009